【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】
予め用意されている地図における複数のページ数、そのページの予め定められている位置における緯度経度がそれぞれ対応付けられて複数組記憶されている記憶手段と、
予め用意されている地図、この地図上に表示されているページ数識別マークとを同時に撮像する撮像手段と、
この撮像手段により撮像された地図とページ数識別マークに加えてカーソルを表示する撮像表示手段と、
この撮像表示手段により表示された地図上でカーソルを目的地に該当する箇所に移動させて指定するカーソル指定手段と、
このカーソル指定手段によって指定されたカーソルの座標範囲を抽出する抽出手段と、
前記撮像表示手段により表示されたカーソルに対応するページ数識別マークからページ数を取得するページ数取得手段と、
このページ数取得手段により取得されたページ数に基づいて、前記記憶手段から対応して記憶されている緯度経度を読み出す読出手段と、
この読出手段から読み出された緯度経度に基づいて前記抽出手段により抽出されたカーソルの座標範囲における緯度経度を算出する算出手段と、
外部から受信した位置情報に基づいて、現在地の緯度経度を取得する取得手段と、
前記算出手段により算出された緯度経度と、前記取得手段により取得された緯度経度とに基づいて、ナビゲーション情報を出力する出力手段と、
を備えることを特徴とする電子機器。
【請求項２】
予め用意されている地図における複数のページ数、そのページの予め定められている位置における緯度経度がそれぞれ対応付けられて複数組記憶されている記憶手段と、
予め用意されている地図、この地図上に表示されているページ数識別マークと、前記地図上の目的地に該当する箇所に付された目的地識別マークとを同時に撮像する撮像手段と、
この撮像手段により撮像された地図とページ数識別マークと目的地識別マークを表示する撮像表示手段と、
この撮像表示手段により表示された目的地識別マークの配置に対応するページ数識別マークからページ数を取得するページ数取得手段と、
更に、前記撮像表示手段により表示された目的地識別マークの位置に対応する座標範囲を抽出する抽出手段と、
前記ページ数取得手段により取得されたページ数に基づいて、前記記憶手段から対応して記憶されている緯度経度を読み出す読出手段と、
この読出手段から読み出された緯度経度に基づいて前記抽出手段により抽出された目的地識別マークの位置する座標範囲における緯度経度を算出する算出手段と、
外部から受信した位置情報に基づいて、現在地の緯度経度を取得する取得手段と、
前記算出手段により算出された緯度経度と、前記取得手段により取得された緯度経度とに基づいて、ナビゲーション情報を出力する出力手段と、
を備えることを特徴とする電子機器。
【請求項３】
前記ページ数識別マークは、ページごとに異なる形状を有するマークであることを特徴とする請求項１又は２に記載の電子機器。
【請求項４】
前記ページ数識別マークは、ページごとに異なる色調を有するマークであることを特徴とする請求項１又は２に記載の電子機器。
【請求項５】
予め用意されている地図における複数のページ数、そのページの予め定められている位置における緯度経度がそれぞれ対応付けられて複数組記憶されている記憶手段と、予め用意されている地図、この地図上に表示されているページ数識別マークとを同時に撮像する撮像手段と、この撮像手段により撮像された地図とページ数識別マークに加えてカーソルを表示する撮像表示手段と、この撮像表示手段により表示された地図上でカーソルを目的地に該当する箇所に移動させて指定するカーソル指定手段と、を備える電子機器のコンピュータに、
前記カーソル指定手段によって指定されたカーソルの座標範囲を抽出する機能と、
前記撮像表示手段により表示されたカーソルに対応するページ数識別マークからページ数を取得する機能と、
取得したページ数に基づいて、前記記憶手段から対応して記憶されている緯度経度を読み出す機能と、
読み出した緯度経度に基づいて、抽出したカーソルの座標範囲における緯度経度を算出する機能と、
外部から受信した位置情報に基づいて、現在地の緯度経度を取得する機能と、
算出した緯度経度と、取得した緯度経度とに基づいて、ナビゲーション情報を出力する機能と、
を実現させるためのプログラム。
【請求項６】
予め用意されている地図における複数のページ数、そのページの予め定められている位置における緯度経度がそれぞれ対応付けられて複数組記憶されている記憶手段と、予め用意されている地図、この地図上に表示されているページ数識別マークと、前記地図上の目的地に該当する箇所に付された目的地識別マークとを同時に撮像する撮像手段と、この撮像手段により撮像された地図とページ数識別マークと目的地識別マークを表示する撮像表示手段と、を備える電子機器のコンピュータに、
前記撮像表示手段により表示された目的地識別マークの配置に対応するページ数識別マークからページ数を取得する機能と、
前記撮像表示手段により表示された目的地識別マークの位置に対応する座標範囲を抽出する機能と、
取得したページ数に基づいて、前記記憶手段から対応して記憶されている緯度経度を読み出す機能と、
読み出した緯度経度に基づいて、目的地識別マークの位置する座標範囲における緯度経度を算出する機能と、
外部から受信した位置情報に基づいて、現在地の緯度経度を取得する機能と、
算出した緯度経度と、取得した緯度経度とに基づいて、ナビゲーション情報を出力する機能と、
を実現させるためのプログラム。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
【課題を解決するための手段】
上記課題を解決するため、請求項１に記載の発明は、予め用意されている地図における複数のページ数、そのページの予め定められている位置における緯度経度がそれぞれ対応付けられて複数組記憶されている記憶手段（例えば、図１６の緯度経度情報エリア６１ｂ）と、予め用意されている地図、この地図上に表示されているページ数識別マークとを同時に撮像する撮像手段（例えば、図１５のカメラ７２）と、この撮像手段により撮像された地図とページ数識別マークに加えてカーソルを表示する撮像表示手段（例えば、図２０のファインダ７２ａ）と、この撮像表示手段により表示された地図上でカーソルを目的地に該当する箇所に移動させて指定するカーソル指定手段（例えば、図示しない移動キー）と、このカーソル指定手段によって指定されたカーソルの座標範囲を抽出する抽出手段（例えば、図１５のＣＰＵ６０；図２２のステップＳ３４）と、前記撮像表示手段により表示されたカーソルに対応するページ数識別マークからページ数を取得するページ数取得手段（例えば、図１５のＣＰＵ６０；図２２のステップＳ３３）と、このページ数取得手段により取得されたページ数に基づいて、前記記憶手段から対応して記憶されている緯度経度を読み出す読出手段（例えば、図１５のＣＰＵ６０；図２２のステップＳ３５，３６）と、この読出手段から読み出された緯度経度に基づいて前記抽出手段により抽出されたカーソルの座標範囲における緯度経度を算出する算出手段（例えば、図１５のＣＰＵ６０；図２２のステップＳ３７，３８）と、外部から受信した位置情報に基づいて、現在地の緯度経度を取得する取得手段（例えば、図１５のＣＰＵ６０；図７のステップＳ２）と、前記算出手段により算出された緯度経度と、前記取得手段により取得された緯度経度とに基づいて、ナビゲーション情報を出力する出力手段（例えば、図１５のＣＰＵ６０；図７のステップＳ３）と、を備えることを特徴とする。
【手続補正７】
【補正対象書類名】明細書
【補正対象項目名】００１１
【補正方法】変更
【補正の内容】
【００１１】
請求項１に記載の発明によれば、カーソル指定手段によって撮像表示手段により表示された地図上でカーソルを目的地に該当する箇所に移動させて指定して撮像すると、抽出手段が指定されたカーソルの座標範囲を抽出し、ページ数取得手段がページ数識別マークからページ数を取得すると、このページ数取得手段により取得されたページ数に基づいて、読出手段が緯度経度を読み出す。この読出手段から読み出された緯度経度に基づいて抽出手段により抽出されたカーソルの座標範囲における緯度経度を算出手段が算出し、取得手段が現在地の緯度経度を取得し、算出手段により算出された緯度経度と、取得手段により取得された緯度経度とに基づいて、出力手段がナビゲーション情報を出力する。よって、撮像手段で目的地の地図を撮像するだけで、目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【手続補正８】
【補正対象書類名】明細書
【補正対象項目名】００１２
【補正方法】変更
【補正の内容】
【００１２】
請求項２に記載の発明は、予め用意されている地図における複数のページ数、そのページの予め定められている位置における緯度経度がそれぞれ対応付けられて複数組記憶されている記憶手段（例えば、図２４の緯度経度情報エリア７８ｂ）と、予め用意されている地図、この地図上に表示されているページ数識別マークと、前記地図上の目的地に該当する箇所に付された目的地識別マークとを同時に撮像する撮像手段（例えば、図２３のカメラ８８）と、この撮像手段により撮像された地図とページ数識別マークと目的地識別マークを表示する撮像表示手段（例えば、図２６のファインダ８８ａ）と、この撮像表示手段により表示された目的地識別マークの配置に対応するページ数識別マークからページ数を取得するページ数取得手段（例えば、図２３のＣＰＵ７７；図２８のステップＳ４３）と、更に、前記撮像表示手段により表示された目的地識別マークの位置に対応する座標範囲を抽出する抽出手段（例えば、図２３のＣＰＵ７７；図２８のステップＳ４４）と、前記ページ数取得手段により取得されたページ数に基づいて、前記記憶手段から対応して記憶されている緯度経度を読み出す読出手段（例えば、図２３のＣＰＵ７７；図２８のステップＳ４５，４６）と、この読出手段から読み出された緯度経度に基づいて前記抽出手段により抽出された目的地識別マークの位置する座標範囲における緯度経度を算出する算出手段（例えば、図２３のＣＰＵ７７；図２８のステップＳ４７，４８）と、外部から受信した位置情報に基づいて、現在地の緯度経度を取得する取得手段（例えば、図２３のＣＰＵ７７；図７のステップＳ２）と、前記算出手段により算出された緯度経度と、前記取得手段により取得された緯度経度とに基づいて、ナビゲーション情報を出力する出力手段（例えば、図２３のＣＰＵ７７；図７のステップＳ３）と、を備えることを特徴とする。
【手続補正９】
【補正対象書類名】明細書
【補正対象項目名】００１３
【補正方法】変更
【補正の内容】
【００１３】
請求項２に記載の発明によれば、撮像手段が地図とページ数識別マークと目的地識別マークを撮像し、ページ数取得手段がページ数識別マークからページ数を取得し、更に、抽出手段が目的地識別マークの位置に対応する座標範囲を抽出し、ページ数取得手段により取得されたページ数に基づいて、読出手段が緯度経度を読み出す。この読出手段から読み出された緯度経度に基づいて、算出手段が目的地識別マークの位置する座標範囲における緯度経度を算出し、取得手段が現在地の緯度経度を取得し、算出手段により算出された緯度経度と、取得手段により取得された緯度経度とに基づいて、出力手段がナビゲーション情報を出力する。よって、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【手続補正１０】
【補正対象書類名】明細書
【補正対象項目名】００１４
【補正方法】変更
【補正の内容】
【００１４】
請求項３に記載の発明は、前記ページ数識別マークは、ページごとに異なる形状を有するマークであることを特徴とする。
【手続補正１１】
【補正対象書類名】明細書
【補正対象項目名】００１５
【補正方法】変更
【補正の内容】
【００１５】
請求項３に記載の発明によれば、ページ数識別マークは、ページごとに異なる形状を有するマークであるため、撮像手段はページ数を容易に識別することができる。
【手続補正１２】
【補正対象書類名】明細書
【補正対象項目名】００１６
【補正方法】変更
【補正の内容】
【００１６】
請求項４に記載の発明は、前記ページ数識別マークは、ページごとに異なる色調を有するマークであることを特徴とする。
【手続補正１３】
【補正対象書類名】明細書
【補正対象項目名】００１７
【補正方法】変更
【補正の内容】
【００１７】
請求項４に載の発明によれば、ページ数識別マークは、ページごとに異なる色調を有するマークであるため、撮像手段はページ数を容易に識別することができる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
請求項５に記載の発明は、予め用意されている地図における複数のページ数、そのページの予め定められている位置における緯度経度がそれぞれ対応付けられて複数組記憶されている記憶手段（例えば、図１５のＣＰＵ６０）と、予め用意されている地図、この地図上に表示されているページ数識別マークとを同時に撮像する撮像手段（例えば、図１５のカメラ７２）と、この撮像手段により撮像された地図とページ数識別マークに加えてカーソルを表示する撮像表示手段（例えば、図２０のファインダ７２ａ）と、この撮像表示手段により表示された地図上でカーソルを目的地に該当する箇所に移動させて指定するカーソル指定手段と、を備える電子機器のコンピュータに、
前記カーソル指定手段によって指定されたカーソルの座標範囲を抽出する機能（例えば、図２２のステップＳ３４）と、
前記撮像表示手段により表示されたカーソルに対応するページ数識別マークからページ数を取得する機能（例えば、図２２のステップＳ３３）と、
取得したページ数に基づいて、前記記憶手段から対応して記憶されている緯度経度を読み出す機能（例えば、図２２のステップＳ３５，Ｓ３６；図１５の目的地読出プログラム６２ａ）と、
読み出した緯度経度に基づいて、抽出したカーソルの座標範囲における緯度経度を算出する機能（例えば、図２２のステップＳ３７，Ｓ３８；図１５の目的地緯度経度算出プログラム６２ｂ）と、
外部から受信した位置情報に基づいて、現在地の緯度経度を取得する機能（例えば、図７のステップＳ２）と、
算出した緯度経度と、取得した緯度経度とに基づいて、ナビゲーション情報を出力する機能（例えば、図７のステップＳ３；図１５の目的地方位出力プログラム６２ｃ）と、
を実現させることを特徴とする。
【手続補正１９】
【補正対象書類名】明細書
【補正対象項目名】００２３
【補正方法】変更
【補正の内容】
【００２３】
請求項５に記載の発明によれば、プログラムが実行されることにより、カーソル指定手段によって指定されたカーソルの座標範囲を抽出し、撮像表示手段により表示されたカーソルに対応するページ数識別マークからページ数を取得し、取得したページ数に基づいて、記憶手段から対応して記憶されている緯度経度を読み出し、読み出した緯度経度に基づいて、抽出したカーソルの座標範囲における緯度経度を算出し、外部から受信した位置情報に基づいて、現在地の緯度経度を取得し、算出した緯度経度と、取得した緯度経度とに基づいて、ナビゲーション情報を出力するので、撮像手段で目的地の地図を撮像するだけで、目的地を指定することができることとなって、電子機器自体に地図データを備えていなくとも、容易に目的地を指定することができ、ユーザを目的地に案内することができる。
【手続補正２０】
【補正対象書類名】明細書
【補正対象項目名】００２４
【補正方法】変更
【補正の内容】
【００２４】
請求項６に記載の発明は、予め用意されている地図における複数のページ数、そのページの予め定められている位置における緯度経度がそれぞれ対応付けられて複数組記憶されている記憶手段（例えば、図２４の緯度経度情報エリア７８ｂ）と、予め用意されている地図、この地図上に表示されているページ数識別マークと、前記地図上の目的地に該当する箇所に付された目的地識別マークとを同時に撮像する撮像手段（例えば、図２３のカメラ８８）と、この撮像手段により撮像された地図とページ数識別マークと目的地識別マークを表示する撮像表示手段（例えば、図２６のファインダ８８ａ）と、を備える電子機器のコンピュータに、
前記撮像表示手段により表示された目的地識別マークの配置に対応するページ数識別マークからページ数を取得する機能（例えば、図２８のステップＳ４３）と、
前記撮像表示手段により表示された目的地識別マークの位置に対応する座標範囲を抽出する機能（例えば、図２８のステップＳ４４）と、
取得したページ数に基づいて、前記記憶手段から対応して記憶されている緯度経度を読み出す機能（例えば、図２８のステップＳ４５，Ｓ４６；図２３の目的地読出プログラム７９ａ）と、
読み出した緯度経度に基づいて、目的地識別マークの位置する座標範囲における緯度経度を算出する機能（例えば、図２８のステップＳ４７，Ｓ４８；図２３の目的地緯度経度算出プログラム７９ｂ）と、
外部から受信した位置情報に基づいて、現在地の緯度経度を取得する機能（例えば、図７のステップＳ２）と、
算出した緯度経度と、取得した緯度経度とに基づいて、ナビゲーション情報を出力する機能（例えば、図７のステップＳ３；図２３の目的地方位出力プログラム７９ｃ）と、
を実現させることを特徴とする。
【手続補正２１】
【補正対象書類名】明細書
【補正対象項目名】００２５
【補正方法】変更
【補正の内容】
【００２５】
請求項６に記載の発明によれば、プログラムが実行されることにより、撮像表示手段により表示された目的地識別マークの配置に対応するページ数識別マークからページ数を取得し、更に、撮像表示手段により表示された目的地識別マークの位置に対応する座標範囲を抽出し、ページ数取得手段により取得したページ数に基づいて、記憶手段から対応して記憶されている緯度経度を読み出し、読み出した緯度経度に基づいて、目的地識別マークの位置する座標範囲における緯度経度を算出し、外部から受信した位置情報に基づいて、現在地の緯度経度を取得し、算出手段により算出した緯度経度と、取得手段により取得した緯度経度とに基づいて、ナビゲーション情報を出力するので、よって、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。
【手続補正２２】
【補正対象書類名】明細書
【補正対象項目名】００７４
【補正方法】削除
【補正の内容】
【手続補正２３】
【補正対象書類名】明細書
【補正対象項目名】００７５
【補正方法】削除
【補正の内容】
【手続補正２４】
【補正対象書類名】明細書
【補正対象項目名】００７６
【補正方法】変更
【補正の内容】
【００７６】
【発明の効果】
請求項１に記載の発明によれば、撮像手段で目的地の地図を撮像するだけで、目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【手続補正２５】
【補正対象書類名】明細書
【補正対象項目名】００７７
【補正方法】変更
【補正の内容】
【００７７】
請求項２に記載の発明によれば、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。また、撮像手段を設けることにより、入力手段が不要となるため、小型の電子機器にも適用することができる。
【手続補正２６】
【補正対象書類名】明細書
【補正対象項目名】００７８
【補正方法】変更
【補正の内容】
【００７８】
請求項３に記載の発明によれば、ページ数識別マークは、ページごとに異なる形状を有するマークであるため、撮像手段はページ数を容易に識別することができる。
【手続補正２７】
【補正対象書類名】明細書
【補正対象項目名】００７９
【補正方法】変更
【補正の内容】
【００７９】
請求項４に記載の発明によれば、ページ数識別マークは、ページごとに異なる色調を有するマークであるため、撮像手段はページ数を容易に識別することができる。
【手続補正２８】
【補正対象書類名】明細書
【補正対象項目名】００８０
【補正方法】削除
【補正の内容】
【手続補正２９】
【補正対象書類名】明細書
【補正対象項目名】００８１
【補正方法】削除
【補正の内容】
【手続補正３０】
【補正対象書類名】明細書
【補正対象項目名】００８２
【補正方法】変更
【補正の内容】
【００８２】
請求項５に記載の発明によれば、プログラムが実行されることにより、撮像手段で目的地の地図を撮像するだけで、目的地を指定することができることとなって、電子機器自体に地図データを備えていなくとも、容易に目的地を指定することができ、ユーザを目的地に案内することができる。
【手続補正３１】
【補正対象書類名】明細書
【補正対象項目名】００８３
【補正方法】変更
【補正の内容】
【００８３】
請求項６に記載の発明によれば、プログラムが実行されることにより、ユーザは地図上の目的地に目的地識別マークを付して撮影するだけで目的地を指定することができることとなって、電子機器自体に地図データを備えていなくとも、容易に目的地を指定することができ、ユーザを目的地に案内することができる。